(57)【要約】【課題】本発明は、スライド機構が簡略化可能で耐疲労性が優れるスライド機構を提供できる。【解決手段】ベースプレートと、前記ベースプレートに対してスライド可能に係合されているスライダプレートと、前記ベースプレートとスライダプレートとの間に付勢されており、ループ部を少なくとも４つ有するトーションバネが２つ備えられると共に前記４つのループ部が１つの平面で展開されたものであって、トーションバネの一端部がベースプレートに取り付けられていると共に、他端部がスライダに取り付けられている付勢手段とで構成したスライド機構により、前記課題を解決した。【選択図】図１
2008154197.tif 000002
【特許請求の範囲】
【請求項１】
ベースプレートと、前記ベースプレートに対してスライド可能に係合されているスライダプレートと、を備えるスライド機構であって、
前記ベースプレートと前記スライドプレートとの間に設けられた付勢手段をさらに含み、該付勢手段は２つのトーションバネを含み、該トーションバネは１つの平面に展開された少なくとも４つのループ部を有し、該トーションバネの一端部が前記ベースプレートに取り付けられ、他端部がスライダに取り付けられていることを特徴とするスライド機構。
【請求項２】
前記２つのトーションバネの材料にはＳＷＰ−Ｂ或いはＳＵＳ３０１を採用し、２つのトーションバネの線径は０．４５〜０．５ｍｍであることを特徴とする請求項１に記載のスライド機構。
【請求項３】
前記ループ部は一周巻回した構成であり、その直径は３．２〜３．４ｍｍに形成されたことを特徴とする請求項１に記載のスライド機構。
【請求項４】
前記ベースプレートには螺孔が形成され、該螺孔が固定螺子に螺合されることにより２つの前記トーションバネを前記ベースプレートに固着させていることを特徴とする請求項１に記載のスライド機構。
【請求項５】
前記スライダプレートには螺孔が形成され、該螺孔が固定螺子に螺合されることにより２つの前記トーションバネを前記スライダプレートに固着させていることを特徴とする請求項１に記載のスライド機構。
【請求項６】
前記ベースプレートの両側においてガイドレールが形成され、前記スライダプレートの両側において前記ガイドレールに係合されるガイド溝が形成されていることを特徴とする請求項１に記載のスライド機構。
【請求項７】
本体と、蓋体と、スライド機構と、を備える携帯電子装置にあって、
該スライド機構は、前記本体に固定されるベースプレートと、前記蓋体に固定されるスライダプレートと、該ベースプレートと該スライダプレートとの間に設けられている付勢手段とを含み、該付勢手段は２つのトーションバネを含み、該トーションバネは１つの平面に展開された少なくとも４つのループ部を有し、該トーションバネの一端部がベースプレートに取り付けられ、他端部がスライダに取り付けられていることを特徴とするスライド機構。
【請求項８】
前記２つのトーションバネの材料にはＳＷＰ−Ｂ或いはＳＵＳ３０１を採用し、２つのトーションバネの線径は０．４５〜０．５ｍｍであることを特徴とする請求項７に記載の携帯電子装置。
【請求項９】
前記ループ部は一周巻回した構成であり、直径は３．２〜３．４ｍｍに形成されたことを特徴とする請求項７に記載の携帯電子装置。
【請求項１０】
前記ベースプレートには螺孔が形成され、該螺孔が固定螺子に螺合されることにより２つの前記トーションバネをベースプレートに固着させていることを特徴とする請求項７に記載の携帯電子装置。
【請求項１１】
前記スライダプレートには螺孔が形成され、該螺孔が固定螺子に螺合されることにより２つの前記トーションバネをスライダプレートに固着させることを特徴とする請求項７に記載の携帯電子装置。
【請求項１２】
前記ベースプレートの両側においてガイドレールが形成され、前記スライダプレートの両側において前記ガイドレールに係合されるガイド溝が形成されていることを特徴とする請求項７に記載の携帯電子装置。
【請求項１３】
前記ベースプレートと前記スライダプレートとにそれぞれ固定部が設けられ、該ベースプレート及びスライダプレートは、それぞれ前記固定部を介して対応する本体及び蓋体に係合していることを特徴とする請求項７に記載に携帯電子装置。
【請求項１４】
前記固定部は固定孔であり、該固定孔はそれぞれベースプレートの四隅の近く及びスライダプレートの四隅の近くに設けてあることを特徴とする請求項７に記載の携帯電子装置。
【発明の詳細な説明】
【技術分野】
【０００１】
本発明は、スライド機構に関し、特に携帯電子装置用スライド機構及びそのスライド機構を備えた携帯電子装置に関するものである。
【背景技術】
【０００２】
移動通信技術の発展とともに、携帯電話、ＰＤＡなどの携帯電子装置が現代人の日常生活において必用な通信手段となっており、そのような携帯電子装置は、使用者の嗜好に合うように、ますます多様化した携帯電子装置が盛んに開発されている。現在、携帯電話を代表とする携帯電子装置は、その全体の形状から主にストレート型の携帯電話、折畳型の携帯電話およびスライド型の携帯電話などに分けることができる。その中で、折畳型の携帯電話はヒンジ装置により重合部を回転するもので、スライド型の携帯電話はスライド装置を介して蓋体を本体に対しスライド可能に結合したものである。
【０００３】
携帯電話の様々なデザインの機種の出現とともに、ユーザーからは、携帯電話の重量や体積や使用寿命などにおける高性能な要求が高まっている。その要求を満足するため、携帯電話のメーカーは、機構が簡単で使用寿命が長い方向に従って携帯電話をデザインしなければならない。スライド型携帯電話は蓋体を本体に対してスライドさせて開閉動作を行うことができる。普通の携帯電話のスライド機構では、部品数が多く、組み立てる際に煩雑となるため、携帯電話の製造コストが上がる。
【０００４】
携帯電話の体積を小形化することを考慮して、例えばトーションバネからなるスライド機構の付勢部材が金細線で構成される。しかし、小さいサイズの付勢部材は耐疲労性が悪い。現在、普及している携帯電話用のスライド機構の寿命は、一般的に１０万回である。その原因は、スライド機構が一定の時間使われた後弾性部材の内部バネが過疲労により変形または破断し、携帯電話が駆動力不足となる現象や、閉状態及び開状態において、蓋体が本体に対してぐらぐらする現象などを起こしている。該現象に対応して、耐疲労性が優れ、かつ小型の付勢部材をデザインしなければならない。
【発明の開示】
【発明が解決しようとする課題】
【０００５】
本発明の第一目的は機構が簡略化可能でありながら耐疲労性が優れるスライド機構を提供するものである。
【０００６】
本発明の第二目的は前記スライド機構を備える携帯電子装置を提供するものである。
【課題を解決するための手段】
【０００７】
前記第一目的を解決するために、本発明に係るスライド機構は、ベースプレートと、前記ベースプレートに対してスライド可能に係合されているスライダプレートと、前記ベースプレートとスライダプレートの間に設けられたスライド付勢手段を含み、該付勢手段は２つのトーションバネを含み、該トーションバネは１つの平面で展開された４つのループ部を有し、該トーションバネの一端部はベースプレートに取り付けられ、他端部はスライダプレートに取り付けられている。
【０００８】
前記第二目的を解決するために、本発明に係る携帯電子装置は、本体と、蓋体と、スライド機構を含み、該スライド機構はベースプレートと、前記ベースプレートに対してスライド可能に係合されているスライダプレートと、前記ベースプレートとスライダプレートの間に設けられたスライド付勢手段とを含み、該付勢手段は２つのトーションバネを含み、該トーションバネは１つの平面で展開された４つのループ部を有し、該トーションバネの一端部はベースプレートに取り付けられ、他端部はスライダプレートに取り付けられている。
【発明の効果】
【０００９】
本発明によるスライド機構は、ループ部を少なくとも４つ有するトーションバネを２つ備え、且つ該４つのループ部が一つの平面に展開されていて、該スライド機構が簡略化可能でありながら耐疲労性が優れる。
【００１０】
本発明による携帯電子装置は、スライダプレートが蓋体に固定され、且つベースプレートが本体に固定されていることにより、スライダ機構が前記携帯電子装置に配設される。更に、前記スライド機構は、ループ部を少なくとも４つ有するトーションバネを２つ備え、且つ該４つのループ部が１つの平面に展開されていて、該スライド機構が簡略化可能でありながら耐疲労性が優れる。
【発明を実施するための最良の形態】
【００１１】
図１及び図２を参照すると、本実施形態に係わるスライド機構１００はベースプレート１０と、スライダプレート２０と、付勢手段３０と、を含んでいる。前記スライダプレート２０は付勢手段３０を介してベースプレート１０に対して半自動的にスライディング移動する。
【００１２】
前記ベースプレート１０は、矩形板状であるベースプレート部１１と、該ベースプレート部１１の相対両側に設けられ、且つ該ベースプレートと一体成形された二つのガイドレール１２と、を備える。ベースプレート１１のガイドレール１２の近くの相対両側の略中央に、それぞれ第一螺孔１３と第二螺孔１４とが形成され、前記ベースプレート部１１の四隅にそれぞれ第一固定孔１５が開設される。
【００１３】
スライダプレート２０は、スライダプレート部２１と、前記スライダプレート部２１の相対両側に設けられ、且つ該スライダプレート部２１と一体成形される二つのガイド溝２２と、を備える。前記スライダプレート部２１は、そのスライド方向において、ベースプレート１０と比べて短い矩形板であり、前記ガイド溝２２の近くの相対両側の両端には、それぞれ第三螺孔２３と第四螺孔２４とが形成される。前記カイド溝２２と、ベースプレート１０のガイドレール１２とが線接触として係合されて、ベースプレート１０がスライダプレート２０に対してガイドされ、スライダプレート２０がベースプレート１０に対してのスライド摩擦抵抗を低減することができる。前記スライダプレート部２１の四隅に第二固定孔２５が形成される。
【００１４】
前記付勢手段３０は第一トーションバネ３１と、第二トーションバネ３２と、第一固定ネジ３３と、第二固定ネジ３４と、第三固定ネジ３５と、第四ネジ３６と、を備える。
【００１５】
前記第一トーションバネ３１と第二トーションバネ３２との材料にはＳＷＰ−ＢまたはＳＵＳ３０１を採用し、かつ前記第一トーションバネ３１と第二トーションバネ３２との線径は０．４５〜０．５ｍｍである。前記第一トーションバネ３１と第二トーションバネ３２との構成は同じで、４つのループ部及び２つの接続孔をそれぞれ備え、かつ前記４つのループ部はそれぞれ１つの平面に展開されている。
【００１６】
前記第一トーションバネ３１の両端には、第一接続孔３１１及び第二接続孔３１２が設けられており、前記第一接続孔３１１と第二接続孔３１２との間に、直径が同じで等間隔で並んでいる少なくとも４つのループ部３１３を有している。
【００１７】
前記第二トーションバネ３２の両端には、それぞれ第一接続孔３２１及び第二接続孔３２２が設けられており、前記第一接続孔３２１と第二接続孔３２２との間に、直径が同じで等間隔で並んでいる少なくとも４つのループ部３２３を有している。
【００１８】
前記ループ部３１３と前記ループ部３２３とは同じ構成であって、直径がすべて３.２〜３.４ｍｍである。
【００１９】
前記第一固定ネジ３３と第二固定ネジ３４と第三固定ネジ３５と第四固定ネジ３６とは同じ構成として、第一トーションバネ３１及び第二トーションバネ３２をそれぞれベースプレート１０及びスライダプレート２０に固着するために用いられる。
【００２０】
前記スライド機構１００を組み立てる際、付勢手段３０はベースプレート１０とスライダプレート２０との間に配設される。
【００２１】
前記第一トーションバネ３１の両端は、それぞれベースプレート１０及びスライダプレート２０に結合され、前記第一固定ネジ３３が第一トーションバネ３１の第一接続孔３１１を貫通してベースプレート部１１の第一螺孔１３に螺合することにより、第一トーションバネ３１はベースプレートに固定されるようになっている。
【００２２】
前記第三固定螺子３５が第一トーションバネ３１の第二接続孔３１２を貫通してスライダプレート部２１の第三螺孔２３に螺合することにより、第一トーションバネ３１はスライダプレート２０に固定されるようになっている。
【００２３】
前記第二トーションバネ３２の両端はベースプレート１０及びスライダプレート３０に結合され、前記第二固定ネジ３４が第二トーションバネ３２の第三接続孔３２１を貫通してベースプレート部１１の第二螺孔１４に螺合することにより、第二トーションバネ３２はベースプレート１０に固定されるようになっている。
【００２４】
前記第四固定螺子３６が第二トーションバネ３２の第四接続孔３２２を貫通してスライダプレート部２１の第四螺孔２４に螺合することにより、第二トーションバネ３２をスライダプレート２０に固定されるようになっている。
【００２５】
組み立てた後、スライダプレート２０がベースプレート１０の一端に位置するにおいて、第一トーションバネ３１及び第二トーションバネ３２が微小の変形を生成し、該二者の変形による付勢力が比較的平衡して、安定状態を維持することができる。
【００２６】
図５に示されたように、スライド機構１００を、複数のキーパッドが設けられる本体２００と表面にディスプレイが設けられる蓋体３００とを有する携帯電話１に応用している。スライダ機構１００のベースプレート１０は第一固定孔１５により携帯電話１の本体２００に固定され、スライダプレート２０は第二固定孔２５により携帯電話１の蓋体３００に固定される。
【００２７】
図４に示されたように、スライド機構１００が閉状態において、スライダプレート２０がベースプレート１０の一端に位置され、付勢手段３０が初期状態にされ、第一トーションバネ３１及び第二トーションバネ３２が微小の変形を生成し、該二者の変形による付勢力が比較的平衡して、安定状態を維持する。
【００２８】
従って、蓋体３００を本体２００に重ね合わせた閉状態において、本体２００に設けられたキーパッド２０１を蓋体３００で覆い、蓋体３００は本体２００に対して静止状態となる。
【００２９】
蓋体２００を本体３００に対して開ける際、ユーザーが蓋体３００を本体２００に沿ってスライドさせると、スライダプレート２０をベースプレートに対してスライドさせる。それで、第一トーションバネ３１及び第二トーションバネ３２が作動し、付勢手段３０が弾性変形を始め、その後、第一トーションバネ３１及び第二トーションバネ３２が圧縮し、付勢手段３０が付勢力を積み重ねる。
【００３０】
スライダプレート２０がベースプレート１０の略中央部までスライドされた際、第一トーションバネ３１及び第二トーションバネ３２の圧縮変形が最も大きく、付勢力の積み重ねも最も大きい。
【００３１】
外力によって、スライドプレート２０がベースプレート１０の中央位置を超えた後、前記外力を解放することで付勢手段３０が力を解放され、第一トーションバネ３１と第二トーションバネ３２とが伸ばされ、スライダプレート２０がスライド方向に沿って所定位置まで速くスライディグする。
【００３２】
図３及び図５に示されたように、第一トーションバネ３１及び第二トーションバネ３２の付勢力が比較的平衡し、安定状態を維持し、蓋体３００は本体２００に対して全開状態にされ、露出されたキーパッド２０１により携帯電話１のそれぞれの機能を使用することができる。蓋体３００が開状態から閉状態になる際は、スライダプレート２０のスライダ軌跡が閉状態から開状態になる軌跡が反対で、原理が同じである。
【００３３】
前記第一固定螺子３３と、第二固定螺子３４と、第三固定螺子３５と、第四固定螺子３６とはそれぞれ第一螺孔１３と、第二螺孔１４と、第三螺孔２３と、第四螺孔２４とに螺合されることにより、第一トーションバネ３１と第二トーションバネ３２とが固定されるようになっている。該固着方式以外、例えば、第一トーションバネ及び第二トーションバネの両端にフック部を設置するにより、ベースプレート及びスライダプレートの螺孔に挿し挟む方式で固定することもできる。
【００３４】
また、本発明のスライド機構は特別なデザインを採用して、付勢手段は２つのトーションバネを含んでいる。該個々のトーションバネは４つのループ部を有する簡単な機構であり、耐疲労強度が優れている。該トーションバネは小さい直径の優れた材料を採用して、疲労強度測定の結果は開閉回数が５０万回にも達することができる。また、小型化で、使用寿命を延長し、そのスライド機構を備ええることで、携帯電子装置の機構が簡単で、耐疲労性が優れ、取り付けが簡易とすることができる。
【図面の簡単な説明】
【００３５】
【図１】本発明の実施状態のスライド機構の組立図である。
【図２】本発明の実施状態のスライド機構の分解図である。
【図３】本発明の実施状態のスライド機構のベースプレートがスライダベースプレートに対して全開状態の示す図である。
【図４】本発明の実施状態のスライド機構のベースプレートがスライダベースプレートに対して全閉状態の示す図である。
【図５】本発明の実施状態のスライド機構を備えた携帯電子装置の全開状態を示す図である。
【符号の説明】
【００３６】
１００              スライド機構    
１０                ベースプレート
１１                ベースプレート部
１２                ガイドレール
１３                第一螺孔
１４                第二螺孔
１５                第一固定孔
２０                スライドプレート
２１                スライドプレート部
２２                ガイド溝
２３                第三螺孔
２４                第四螺孔
２５                第二固定孔
３０                付勢装置
３１                第一トーションバネ
３２                第二トーションバネ
３３                第一固定螺子
３４                第二固定螺子
３５                第三固定螺子
３６                第四固定螺子
３１１              第一接続孔
３１２              第二接続孔
３２１              第三接続孔
３２２              第四接続孔
３１３              第一単ループ
３２３              第二単ループ
１                  携帯電話
３１２              本体
３００              蓋体
３０１              ディスプレイ
【図１】
2008154197.tif 000003
【図２】
2008154197.tif 000004
【図３】
2008154197.tif 000005
【図４】
2008154197.tif 000006
【図５】
2008154197.tif 000007